【手続補正書】
【提出日】平成18年5月18日(2006.5.18)
【手続補正１】
【補正対象書類名】明細書
【補正対象項目名】特許請求の範囲
【補正方法】変更
【補正の内容】
【特許請求の範囲】
【請求項１】  動画像データ及び前記動画データと共に再生する音声データとからなる動画音声ファイルと、前記動画データの再生時において前記動画音声ファイルの音声データに置き換えて再生するためのアフレコ音声データを含むアフレコ音声ファイルとをディスク状記録媒体に記録再生する方法であって、
前記動画データのデータレートと前記アフレコ音声データのデータレート、前記ディスク状記録媒体の不良ブロックサイズ、及び、前記動画音声ファイルとアフレコ音声ファイルの再生時における前記動画音声ファイルの記録領域とアフレコ音声ファイルの記録領域との間の再生用ヘッドのシーク時間とに基づき、前記ディスク状記録媒体に対する前記動画音声ファイルとアフレコ音声ファイルの最小記録サイズを決定することを特徴とする動画記録再生方法。
【請求項２】  前記ヘッドのシーク時間をＴｊ、前記ディスク状記録媒体からデータを読み出す転送レートをＳｔ、前記動画データの再生レートをＳｖ、前記アフレコ音声データの再生レートをＳａ、前記動画音声ファイルの最小記録単位に含まれる不良ブロックサイズをＤｖ、前記アフレコ音声ファイルの最小記録単位に含まれる不良ブロックサイズをＤａ、とすると、前記動画音声ファイルの最小記録時間Ｔｖ、前記アフレコ音声ファイルの最小記録時間Ｔａ、前記動画音声ファイルの記録サイズＬｖ、前記アフレコ音声ファイルの最小記録サイズＬａは、
【外１】
2004355674.tif 000001
で表されることを特徴とする請求項１に記載の動画記録再生方法。
【請求項３】  動画像データ及び前記動画データと共に再生する音声データとからなる動画音声ファイルと、前記動画データの再生時において前記動画音声ファイルの音声データに置き換えて再生するためのアフレコ音声データを含むアフレコ音声ファイルとをディスク状記録媒体に記録再生する方法であって、
前記動画データのデータレートと前記アフレコ音声データのデータレート、前記ディスク状記録媒体の不良ブロック率、及び、前記動画音声ファイルとアフレコ音声ファイルの再生時における前記動画音声ファイルの記録領域とアフレコ音声ファイルの記録領域との間の再生用ヘッドのシーク時間とに基づき、前記動画音声ファイルとアフレコ音声ファイルの最小記録サイズを決定することを特徴とする動画記録再生方法。
【請求項４】  前記ヘッドのシーク時間をＴｊ、前記ディスク状記録媒体からデータを読み出す転送レートをＳｔ、前記動画データの再生レートをＳｖ、前記アフレコ音声データの再生レートをＳａ、前記不良ブロック率をＲｄとすると、前記動画音声ファイルの最小記録時間Ｔｖ、前記アフレコ音声ファイルの最小記録時間Ｔａ、前記動画音声ファイルの最小記録サイズＬｖ、前記アフレコ音声ファイルの最小記録サイズＬａは、
【外２】
2004355674.tif 000002
で表されることを特徴とする請求項３に記載の動画記録再生方法。
【請求項５】  動画像データ及び前記動画データと共に再生する音声データとからなる動画音声ファイルと、前記動画データの再生時において前記動画音声ファイルの音声データに置き換えて再生するためのアフレコ音声データを含むアフレコ音声ファイルとをディスク状記録媒体に記録する装置であって、
前記動画データのデータレートと前記アフレコ音声データのデータレート、前記ディスク状記録媒体の不良ブロックサイズ、及び、前記動画音声ファイルとアフレコ音声ファイルの再生時における前記動画音声ファイルの記録領域とアフレコ音声ファイルの記録領域との間の再生用ヘッドのシーク時間とに基づき、前記ディスク状記録媒体に対する前記動画音声ファイルとアフレコ音声ファイルの最小記録サイズを決定することを特徴とする動画記録装置。
【請求項６】  前記ヘッドのシーク時間をＴｊ、前記ディスク状記録媒体からデータを読み出す転送レートをＳｔ、前記動画データの再生レートをＳｖ、前記アフレコ音声データの再生レートをＳａ、前記動画音声ファイルの最小記録単位に含まれる不良ブロックサイズをＤｖ、前記アフレコ音声ファイルの最小記録単位に含まれる不良ブロックサイズをＤａ、とすると、前記動画音声ファイルの最小記録時間Ｔｖ、前記アフレコ音声ファイルの最小記録時間Ｔａ、前記動画音声ファイルの記録サイズＬｖ、前記アフレコ音声ファイルの最小記録サイズＬａは、
【外３】
2004355674.tif 000003
で表されることを特徴とする請求項５に記載の動画記録装置。
【請求項７】  動画像データ及び前記動画データと共に再生する音声データとからなる動画音声ファイルと、前記動画データの再生時において前記動画音声ファイルの音声データに置き換えて再生するためのアフレコ音声データを含むアフレコ音声ファイルとをディスク状記録媒体に記録する装置であって、
前記動画データのデータレートと前記アフレコ音声データのデータレート、前記ディスク状記録媒体の不良ブロック率、及び、前記動画音声ファイルとアフレコ音声ファイルの再生時における前記動画音声ファイルの記録領域とアフレコ音声ファイルの記録領域との間の再生用ヘッドのシーク時間とに基づき、前記動画音声ファイルとアフレコ音声ファイルの最小記録サイズを決定することを特徴とする動画記録装置。
【請求項８】  前記ヘッドのシーク時間をＴｊ、前記ディスク状記録媒体からデータを読み出す転送レートをＳｔ、前記動画データの再生レートをＳｖ、前記アフレコ音声データの再生レートをＳａ、前記不良ブロック率をＲｄとすると、前記動画音声ファイルの最小記録時間Ｔｖ、前記アフレコ音声ファイルの最小記録時間Ｔａ、前記動画音声ファイルの最小記録サイズＬｖ、前記アフレコ音声ファイルの最小記録サイズＬａは、
【外４】
2004355674.tif 000004
で表されることを特徴とする請求項７に記載の動画記録装置。
【手続補正２】
【補正対象書類名】明細書
【補正対象項目名】０００４
【補正方法】変更
【補正の内容】
【０００４】
【課題を解決するための手段】
本願は前記問題に鑑みて成されたものであり、動画像データ及び前記動画データと共に再生する音声データとからなる動画音声ファイルと、前記動画データの再生時において前記動画音声ファイルの音声データに置き換えて再生するためのアフレコ音声データを含むアフレコ音声ファイルとをディスク状記録媒体に記録再生する方法であって、前記動画データのデータレートと前記アフレコ音声データのデータレート、前記ディスク状記録媒体の不良ブロックサイズ、及び、前記動画音声ファイルとアフレコ音声ファイルの再生時における前記動画音声ファイルの記録領域とアフレコ音声ファイルの記録領域との間の再生用ヘッドのシーク時間とに基づき、前記ディスク状記録媒体に対する前記動画音声ファイルとアフレコ音声ファイルの最小記録サイズを決定することを特徴とする。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００７６
【補正方法】変更
【補正の内容】
【００７６】
【発明の効果】
以上述べてきたように、本発明では、ディスク媒体上に記録する動画および音声の最小記録単位を、データのビットレートおよびディスクの不良ブロック数あるいは不良ブロック率に応じて設定することにより、最適な最小記録単位で、連続再生を保証する効果がある。